(57)【要約】【課題】プレビュー時に、新たに生じた強調したいところや注意を喚起したいところに線図形を追記して、最終仕上がり状態を編集できる画像形成装置を提供する。【解決手段】原稿画像を読み取った画像データを画像形成前にプレビュー表示する機能を備えた画像形成装置において、プレビュー表示されたプレビュー画像上でのタッチ位置の軌跡を検知し、該検知した軌跡による線図形（手書き図形、または、予め設定された下線、四角形、丸のいずれか）を前記原稿画像の画像データに追記して印刷する。前記タッチ位置の軌跡は、プレビュー画像と共に表示されたスケールに基づいてプレビュー画像上の座標値を検知する。【選択図】図７
2010200225.tif 000002
【特許請求の範囲】
【請求項１】
原稿画像を読み取った画像データを画像形成前にプレビュー表示する機能を備えた画像形成装置において、プレビュー表示されたプレビュー画像上でのタッチ位置の軌跡を検知し、該検知した軌跡による線図形を前記原稿画像の画像データに追記して印刷することを特徴とする画像形成装置。
【請求項２】
前記タッチ位置の軌跡は、プレビュー画像と共に表示されたスケールに基づいてプレビュー画像上の座標値を検知することを特徴とする請求項１に記載の画像形成装置。
【請求項３】
前記線図形は、手書き図形、または、予め設定された下線、四角形、丸のいずれかであることを特徴とする請求項１に記載の画像形成装置。
【請求項４】
前記線図形の線の種類、太さ、あるいは、色を指定可能としたことを特徴とする請求項１に記載の画像形成装置。
【請求項５】
原稿画像を読み取った画像データを画像形成前にプレビュー表示する機能を備えた画像形成装置に搭載されたコンピュータで動作するプログラムであって、前記コンピュータに、プレビュー表示されたプレビュー画像上でのタッチ位置の軌跡を検知し、該検知した軌跡による線図形を前記原稿画像の画像データに追記する機能を実行させるプログラム。
【発明の詳細な説明】
【技術分野】
【０００１】
本発明は、読み取った原稿画像の画像データを画像形成する前にプレビューする機能を備えた画像形成装置およびその画像形成装置に搭載されたコンピュータで実行可能なプログラムに関する。
【背景技術】
【０００２】
従来から、複写機等の画像形成装置には、画像形成する前の画像データをプレビュー表示する機能（「見てからコピー」機能ともいわれる）が備わっているものがある。例えば、スキャナによって読み取った原稿画像の画像データや、外部機器から受信した画像データを画像形成（印刷）させる際に、これらの画像データを一旦プレビュー表示させ、その表示をユーザが確認してから画像形成するようにしたものである。
【０００３】
このような画像形成装置の付加機能として、プレビュー時に原稿画像の一部を領域指定し、この指定領域に対して他の領域と異なる処理を行う編集処理機能がある。
例えば、指定領域内の画像データに対して拡大、縮小、濃度や色の調整、網かけ等の画像処理や、指定領域内の画像の削除、移動、反転、回転等の領域編集等を施すことが可能である。
また、プレビュー時におけるその他の編集処理機能としては、両面・片面、集約、余白サイズ調整、ページの順序の入れ替え等のレイアウト加工機能や複数の画像データの合成機能や仕上がり状態の調整機能等がある。
【０００４】
特許文献１のプレビュー表示装置および画像表示編集システムでは、プレビュー表示を行いながら編集操作を行った後に、印刷コマンドデータに編集操作に基づく修正を加えたものをプリンタ装置に再送信することで、即座に目的のドキュメントの印刷を可能とし、効率の良い印刷作業を可能としている。
【先行技術文献】
【特許文献】
【０００５】
【特許文献１】特開２００１−７５９５０号公報
【発明の概要】
【発明が解決しようとする課題】
【０００６】
プレビュー時に、強調したいところや注意を促したいところを追加したい場合がある。
このような場合には、そのような強調したいところに下線や囲み等の簡単な図形を追加すれば比較的簡単に対処することができる。
しかし、特許文献１の編集機能では、プレビュー時に、画面の左右や上下の移動もしくはページ削除などを行うものであり、上記のような小規模の修正であっても、原稿の該当箇所に下線や囲み等の線図形を追記し、再度、原稿を読み取らせねばならなかった。
【０００７】
本発明は、上記の実情を考慮してなされたものであって、プレビュー時に、新たに生じた強調したいところや注意を喚起したいところに線図形を追記して、最終仕上がり状態を編集できる画像形成装置およびその画像形成装置に搭載されたコンピュータで実行可能なプログラムを提供することを目的とする。
【課題を解決するための手段】
【０００８】
上記課題を解決するために、本発明の画像形成装置は、原稿画像を読み取った画像データを画像形成前にプレビュー表示する機能を備えた画像形成装置において、プレビュー表示されたプレビュー画像上でのタッチ位置の軌跡を検知し、該検知した軌跡による線図形（手書き図形、または、予め設定された下線、四角形、丸のいずれか）を前記原稿画像の画像データに追記して印刷する。前記タッチ位置の軌跡は、プレビュー画像と共に表示されたスケールに基づいてプレビュー画像上の座標値を検知する。
【０００９】
さらに、上記の画像形成装置において、前記線図形の線の種類、太さ、あるいは、色を指定可能としてもよい。
【００１０】
また、上記の画像形成装置は、コンピュータによって実現されてもよく、この場合には、上記の機能をコンピュータに実行させるプログラムも本発明の範疇に入る。
【発明の効果】
【００１１】
本発明によれば、プレビュー時に、新たに生じた強調したいところや注意を喚起したいところに線図形を追記して、最終仕上がり状態を編集できるので、原稿を汚すことなく印刷物において強調させたい部分を明確にさせることができる。
従って、編集を加えた原稿画像の再読み込みを行う必要がなく、ユーザの希望に沿った修正ができるので、ユーザの使い勝手が向上する。
【図面の簡単な説明】
【００１２】
【図１】本発明の一実施形態に係る画像形成装置の一例としてのデジタル複合機を用いて構築される画像処理システムの構成例を示す模式図である。
【図２】図１のデジタル複合機の構成例を示す概略ブロック図である。
【図３】デジタル複合機におけるタッチパネルおよびキー操作部の一例を示す外観図である。
【図４】デジタル複合機の標準画面の例を示す図である。
【図５】プレビュー確認キーを操作したときのプレビュー画面の例を示す図である。
【図６】図５のプレビュー画面に線図形（丸印）を追記した例を示す図である。
【図７】プレビュー時における線図形の追記処理について説明するフローチャートである。
【発明を実施するための形態】
【００１３】
以下、図面を参照して本発明の画像形成装置およびプログラムに係る好適な一実施形態について説明する。以下、本発明の画像形成装置をプリント機能、コピー機能、ファクシミリ送受信機能、ファイリング機能等を有するデジタル複合機に適用して説明する。
【００１４】
＜画像処理システムの構成＞
図１は、本発明の一実施形態に係る画像形成装置の一例としてのデジタル複合機を用いて構築される画像処理システムの構成例を示す模式図である。図１において、画像処理システムは、デジタル複合機１、外部コンピュータ２,３、インターネットファクシミリ装置（インターネットＦＡＸ装置）４、ファクシミリ装置５から構成されている。これらの外部コンピュータ２，３、インターネットＦＡＸ装置４、ファクシミリ装置５は、必要に応じた台数の装置が接続される。
【００１５】
デジタル複合機１は、本発明の画像形成装置に係る実施形態の１つであり、プリント機能、コピー機能の他に、画像データをファックスで送受信する機能（ファクシミリ機能）および／または画像データをインターネットＦＡＸで送受信する機能（インターネットＦＡＸ機能）および／または画像データのファイリング機能を有する。このデジタル複合機１には、通信網を介して各種の外部機器が接続される。
【００１６】
例えば、ローカルな通信網として敷設されている通信ネットワークＬＮには、パーソナルコンピュータ（ＰＣ）等の外部コンピュータ２が接続されおり、図に示していないゲートウェイ等を介して接続されているインターネット網ＩＮには外部コンピュータ３およびインターネットＦＡＸ装置４が接続される。また、デジタル複合機１には、公衆電話回線網ＰＮを介して外部のファクシミリ装置５が接続される。
【００１７】
＜画像形成装置の構成＞
次に、デジタル複合機１の機能とその構成および動作について説明する。図２は、図１のデジタル複合機１の構成例を示す概略ブロック図である。
【００１８】
図２において、デジタル複合機１は、タッチパネル１０、パネル制御部１１、記録部１２、読取部１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、モデム２４およびＵＳＢ（Universal Serial Bus）インターフェース（Ｉ／Ｆ）２５を備えている。
【００１９】
メイン制御部１８は、ＣＰＵ（Central Processing Unit）またはＤＳＰ（Digital Signal Processor）などで構成される。
制御用メモリ１９は、ＲＯＭ（Read Only Memory）やＥＥＰＲＯＭ（Electrically Erasable and Programmable ROM）等の不揮発性メモリなどで構成される。制御用メモリ１９内には、メイン制御部１８から読み出し可能なように、制御プログラム（ファームウェア）と各種設定データとが格納されている。このうち少なくとも各種設定データは書き換え可能なメモリに格納されている。また、これらの制御プログラムや各種設定データは、画像記憶部１５に記憶してもよい。また、制御用バッファ２２は、ＲＡＭ（Random Access Memory）等の揮発性メモリで構成される。
【００２０】
上述の制御プログラムは、本発明に係る後述のプレビュー画像の生成や表示に係る命令をはじめ、ファクシミリ画像や電子メール等の生成・送信・受信等に係る命令、原稿画像の読み取りに係る命令、印刷に係る命令、原稿画像の読み取りおよび印刷（つまりコピー）に係る命令などを、メイン制御部１８が他の部位に対して行うためのものである。この制御プログラムは、メイン制御部１８により、制御用バッファ２２上に展開され、制御用バッファ２２を一時保存（作業）用のデータ領域として、各種設定データを適宜参照しながら実行される。
【００２１】
読取部１３は、ＣＣＤ（Charge Coupled Device）を利用したスキャナで、原稿画像を所定の解像度のＲＧＢ（Ｒ：赤、Ｇ：緑、Ｂ：青）のビットマップ画像として読み取り、読み取ったＲＧＢの画像データ（ドットイメージデータ）を画像処理部１６に出力する。
【００２２】
画像処理部１６は、ＡＳＩＣ（Application Specific Integrated Circuit）などで構成され、対象となる画像データに対して様々な画像処理を施す。上述のＡＳＩＣには符号化／復号部１７等の他の部位を組み込んでも構わない。この画像処理部１６では、後述するプレビュー表示や線図形の追記処理も行われる。
【００２３】
画像記憶部１５は、ハードディスク等で構成され、読取部１３で読み取った画像データや、その後の画像処理部１６での処理結果の画像データや、ＬＡＮ制御部２１やＮＣＵ２３等を介して外部から受信した画像データなどを記憶する。画像記憶部１５に画像データを記憶する際には、符号化／復号部１７で符号化したデータを記憶することもできる。また、画像記憶部１５は、画像処理部１６での画像処理中に発生する中間データの一時的な保存も行ってよい。
【００２４】
符号化／復号部１７は、画像データを符号化により圧縮したり、符号化画像データを元の画像データに復号（伸張）する。例えば、符号化／復号部１７は原稿を読み取った画像データの符号化、その符号化データの復号、外部から受信した符号化画像データの復号などを行う。
【００２５】
符号化／復号部１７では、ファイリングで一般的に使用されているＪＰＥＧ（Joint Photographic Experts Group）や、ファクシミリ通信で一般に使用されているＭＨ（Modified Huffman）、ＭＲ（Modified READ）、およびＭＭＲ（Modified Modified READ）など、用途に応じた符号化方式を用いることができる。また、符号化方式として、ＩＰファクシミリ通信ではＭＨを採用することができ、インターネットファクシミリ通信ではＭＨ、ＭＲ、ＭＭＲの他にＪＰＥＧやＪＢＩＧ（Joint Bi-level Image Experts Group）を採用することができる。
【００２６】
フォーマット変換部１４は、読み取られた画像データや外部から受信した画像データを、ＰＤＦ（Portable Document Format）、ＧＩＦ（Graphics Interchange Format）、ＴＩＦＦ（Tag Image File Format）等のファイルフォーマットに変換する。
【００２７】
記録部１２は、電子写真方式やインクジェット方式などの印刷方式を採用したプリンタ装置を備え、画像記憶部１５に記憶された画像データなどを、記録用紙に出力（つまり印刷）する画像形成手段として機能する。
【００２８】
また、ＵＳＢ  Ｉ／Ｆ２５は、ＵＳＢメモリ等のＵＳＢ機器に接続するためのインターフェースであり、画像記憶部１５に記憶された原稿読み取り後の画像データ等をＵＳＢ機器に出力したり、ＵＳＢ機器から画像データを読み込んだりする。
【００２９】
モデム２４は、ファクシミリ通信が可能なファクシミリモデムから構成されており、公衆電話回線網ＰＮと接続され、またＮＣＵ２３と直接的に接続されている。
ＮＣＵ２３は、アナログの公衆電話回線網（ＰＳＴＮ）との回線の閉結および開放の動作を行うハードウェアであり、必要に応じてモデム２４を公衆電話回線網ＰＮと接続する。
このような構成により、画像記憶部１５に記憶された画像データを外部へファクシミリ送信することや、公衆電話回線からファクシミリ画像データを受信して、画像記憶部１５に記憶したり記録部１２で直接印刷したりすることが可能となる。
【００３０】
ＬＡＮ制御部２１は、通信ネットワークＬＮと接続され、インターネット経由による電子メールデータの通信およびインターネットＦＡＸの通信を行う。インターネットＦＡＸは、ＬＡＮ制御部２１を介してコンピュータネットワークに接続し、電子メールを送受信するものである。
【００３１】
タッチパネル１０は、表示部とタッチセンサ等の操作受付部とを有し、パネル制御部１１は、タッチパネル１０の表示部の表示制御や操作受付部の操作受付制御を行う。
キー操作部２０は、操作するために必要なキー群を備えている。
【００３２】
タッチパネル１０の操作受付部またはキー操作部２０は、原稿の読み取り処理、画像データ送信、印刷、ファイリング等の処理の中から所望の処理を選択するための操作、その処理を開始するための操作、各処理を実行する際に必要となる設定を行うための操作（選択操作または入力操作）などを受け付ける操作入力部である。
【００３３】
タッチパネル１０の表示部には、現在の動作状態や設定情報などが表示される。この表示は、ＧＵＩ（Graphical User Interface）画像を表示させるように、パネル制御部１１が制御することで実現される。ＧＵＩにより、ユーザ操作に応じてその表示および操作受付位置を変更することができる。各ＧＵＩおよびその画像は、パネル制御部１１の内部メモリまたは制御用メモリ１９に、読み出し可能に格納しておけばよい。また、表示部としては、液晶ディスプレイや有機ＥＬ（Electroluminescence）ディスプレイなどを用いた様々な表示装置を採用することができる。
【００３４】
タッチパネル１０の操作受付部で受けたユーザ操作は、パネル制御部１１で解釈され、操作信号としてメイン制御部１８に伝送される。
また、キー操作部２０で受けたユーザ操作は、キー操作部２０自身で解釈され、操作信号としてメイン制御部１８に伝送される。
【００３５】
メイン制御部１８は、このようにして得た操作信号に応じた命令を他の部位に発することで、ユーザ操作に応じた処理を他の部位に実行させる。
【００３６】
タッチパネル１０およびキー操作部２０は、図３で例示するような操作パネル３０として構成される。図３の例では、操作パネル３０は、各種ハードウェアキーを備えるキー操作部３１（上述のキー操作部２０に相当する）と、液晶ディスプレイおよびタッチセンサにより構成されるタッチパネル３２（上述のタッチパネル１０に相当）とにより構成される。以下、図２の構成において、タッチパネル１０およびキー操作部２０の代わりにタッチパネル３２およびキー操作部３１を用いて説明する。
【００３７】
キー操作部３１は、ハードウェアキーとして、数値入力のためのテンキー３１ａ、入力した設定値をクリアするためのクリアキー３１ｂ、入力した各種設定を全解除するための全解除キー３１ｃ、コピー開始、送信開始等の指示を受付けるスタートキー３１ｄの他、プリント機能、送信機能およびコピー機能を切替える機能切替キー３１ｅ，３１ｆ，３１ｇ、並びに、ユーザによるシステム設定を受付けるユーザ設定キー３１ｈを備えている。
【００３８】
＜プレビュー時の線図形の追記処理＞
コピー機能を例にして、本実施形態におけるプレビュー時の線図形の追記処理の概要について説明する。
ユーザは、スタートキー３１ｄを押して、原稿画像の読み取りを開始させる。
画像形成装置では、読み取った各ページの画像データを画像記憶部１５に記憶すると共に、ページ毎に画像処理したプレビュー画像を画像記憶部１５に記憶する。全ての原稿を読み終わると、画像記憶部１５に記憶されたプレビュー画像をタッチパネル３２に送り、タッチパネル３２の表示部にプレビュー画面を表示する。
【００３９】
ユーザは、プレビュー表示されている画像を見て、強調したいところがあった場合、指やペンを使ってタッチパネルを押圧することによって、この強調したいところを矩形や丸等で囲む。プレビュー画像が小さくてよく見えないときには、変倍機能によりプレビュー画像を拡大して操作する。
この操作を行うと、プレビュー画像の強調したいところに矩形や丸が追記されて表示されるとともに、指やペンによる押圧点の軌跡が操作中のページと対応付けて画像記憶部１５に格納される。
【００４０】
ユーザは、上記の操作をすべての強調したい部分について行った後、コピー開始キー７７を押す。
画像形成装置では、コピー開始キー７７が押されたことを検知すると、画像記憶部１５を参照して、プレビュー画像の強調したい部分について行った操作を原稿画像の画像データに対しても適用し、指やペンによる押圧点の軌跡からなる線図形が追記された画像データを画像処理して印刷する。
【００４１】
次に、本実施形態におけるプレビュー時の線図形の追記処理の詳細について説明する。
図４は、デジタル複合機１の標準画面の例を示す図である。標準画面４０は、デジタル複合機１の電源がＯＮになったときやデジタル複合機１がリセットされたときに、デジタル複合機１のタッチパネル３２に表示されるものである。図４の標準画面４０は、上部のコピーキー４１が操作され、コピーを行うための各種の条件設定が可能となっている。
【００４２】
また、標準画面４０では、コピーキー４１以外に、イメージ送信キー４２あるいはドキュメントファイリングキー４３を選択することにより、ファクシミリ通信などのイメージ送信を行うためのイメージ送信モード、あるいはデータの保存や確認を行うためのドキュメントファイリングモードに移行することができる。
さらに、この標準画面４０では、本実施形態で使うプレビュー確認キー４６の他に、両面コピーを設定するための両面コピーキー４４、パンチやステープルの後処理の設定を行うための仕上げキー４５などを備えている。
ユーザは、通常の場合は、標準画面４０において、スタートキー３１ｄを押してコピーを開始する。
【００４３】
メイン制御部１８は、スタートキー３１ｄが押されたことを検知すると、読取部１３により読み取った原稿画像の各ページの画像データを画像記憶部１５に記憶すると共に、画像処理部１６によりページ毎に画像処理したプレビュー画像を画像記憶部１５に記憶する。
この時点では、ページ番号に対応して、ページ番号に対応する原稿画像の画像データとプレビュー画像とが画像記憶部１５に記憶されている。
【００４４】
メイン制御部１８は、全ての原稿画像を読み終わると、画像記憶部１５に記憶されているプレビュー画像をタッチパネル３２に送り、タッチパネル３２の表示部にプレビュー画面（図５）を表示する。
ユーザは、強調したい部分があるときには、強調したい部分を囲む線図形を追記する作業（後述）を行った後に、コピー開始キー７７を押す。
メイン制御部１８は、コピー開始キー７７が押されたことを検知すると、プレビュー画像に行った線図形の追記を原稿画像の画像データに適用し、生成された画像データに画像処理を行って印刷する。
【００４５】
次に、プレビュー画面について説明する。
プレビュー表示が開始されると、図５に示すようなプレビュー画面７０がタッチパネル３２の表示部に表示される。
図５において、プレビュー画面７０の左部分には、読み込んだ原稿の画像データに画像処理を施したプレビュー画像７１が表示される。このプレビュー画像７１の左側と下部には、ページ左下隅を原点として水平方向のスケール８０Ｘと垂直方向のスケール８０Ｙとが表示され、プレビュー画像上の位置が原稿画像上のどの位置かを示すものである。
プレビュー画像上のタッチした位置は、このスケールによって変換されて原稿画像上の座標位置として読み取られる。
【００４６】
また、プレビュー画面７０の右部分には、プレビュー画像７１の強調したい領域部分に線図形を追記するための２種類の編集ボタン８１（自動ボタン８１ａ、手動ボタン８１ｂ）が表示されている。
自動ボタン８１ａをタッチした場合、例えば、３つの線図形８１ｃ（下線、丸印、四角印）の中から選択された線図形を指定された領域部分に簡易的に追記する方法である。ユーザが指定した領域部分は、線図形の左上隅と右下隅の座標値が水平方向スケール８０Ｘと垂直方向スケール８０Ｙで読み取られて、プレビュー画面７０の右下の表８１ｄに表示される。
手動ボタン８１ｂをタッチした場合、ユーザが手書きで描いた指やペンによる押圧点の軌跡からなる線図形を追記する方法である。
さらに、上述の線図形の外形を表わす線の種類（実線、点線、一点鎖線等）、太さや色を指定することもできる。
【００４７】
また、このプレビュー画像７１は、ページ毎に表示され、ユーザは、ページ切換キー７２を適宜操作することによって、任意のページのプレビュー画像を表示させることができる。また、現在表示されている画像データのページ番号は、ページ表示７９によっても確認することができる。
【００４８】
また、図５に示すプレビュー画面７０には、設定確認キー７３、拡大／縮小キー７４、表示の回転キー７５などが表示されていて、ユーザはこれらを適宜操作することによって、プレビュー画像７１の印刷条件の設定を確認したり、プレビュー画像７１を拡大もしくは縮小、あるいは回転させて確認することができる。
また、ユーザが拡大／縮小キー７４を利用したときには、プレビュー画像の変倍率と同じ変倍率でこのスケールの表示も変化し、さらに、プレビュー画像のスクロールや回転キー７５に応じてスケールの表示も変化するので、プレビュー画面に表示された画像が原稿画像のいずれの部分に当たるのかが分かるようになっている。
【００４９】
また、プレビュー画像７１を確認することで印刷条件を再設定する必要が生じた場合など、ユーザは再設定キー７６を操作することにより、印刷条件を再設定するための画面を開くことができる。そして再設定画面を使用して印刷条件を再設定し、再設定した印刷条件に基づくプレビュー画像７１を表示させることができる。
【００５０】
次に、上記のプレビュー画面７０を用いて、強調したい領域部分を指定する作業について説明する。
ユーザは、各ページのプレビュー画像を確認して、原稿画像のなかのどの部分を強調したいかを判断する。強調したい領域部分がある場合には、自動ボタン８１ａまたは手動ボタン８１ｂのいずれかをタッチする。
【００５１】
自動ボタン８１ａをタッチした場合、例えば、簡易的な線図形８１ｃ（下線、丸印、四角印）のいずれかをタッチする。次いで、強調したい領域部分の左上隅にタッチしながら右下隅方向にずらすと、プレビュー画面７０には引き延ばされた線図形が描かれるので、強調したい領域部分が囲まれたときにタッチをやめる。これにより、線図形が丸印の場合、図６に示すように、プレビュー画像７１に丸印８２が追記されるとともに、領域部分の座標値（領域部分の左上隅と右下隅の座標値）がスケールによって読み取られて表８１ｄに表示される。
【００５２】
また、手動ボタン８１ｂをタッチした場合、強調したい領域部分を囲むように指やペンでタッチして手書きの線図形を描く。これにより、タッチした軌跡による線図形がプレビュー画像７１に追記される。この軌跡のサンプリングした座標値がスケールによって読み取られて、画面上に表示されてもよい。
【００５３】
次に、図７のフローチャートを用いて、プレビュー時における線図形の追記処理について説明する。
プレビュー表示が開始されると、先頭ページのプレビュー画像を画像記憶部１５から読み込んでプレビュー画面７０に表示する（ステップＳ１）。
タッチパネル１０の操作部からの入力を読み込んで（ステップＳ２）、自動ボタン８１ａがタッチされたと判定したときには（ステップＳ３でＹＥＳ）、ステップＳ４に進む。
また、手動ボタン８１ｂがタッチされたと判定したときには（ステップＳ８でＹＥＳ）、ステップＳ９に進む。
また、コピー開始キー７７がタッチされたと判定したときには（ステップＳ１２でＹＥＳ）、ステップＳ１３に進む。
また、ページ切り換えキー７２がタッチされたと判定したときには（ステップＳ１２でＮＯ）、ステップＳ１４に進む。
【００５４】
自動ボタン８１ａがタッチされたときには（ステップＳ３でＹＥＳ）、ユーザから３種類の簡易的な線図形のいずれかがタッチされて選択されるのを待つ（ステップＳ４）。
（このステップＳ２，Ｓ３，Ｓ４，Ｓ８で図形種類入力部を構成する。）
【００５５】
ユーザが強調したい領域部分の左上隅にタッチしながら右下隅方向にずらすと、プレビュー画面７０に引き延ばした線図形を描き、強調したい領域部分が囲まれたときにタッチをやめると、タッチを開始したときの座標値（左隅座標値）とタッチを終了したときの座標値（右隅座標値）とを取得する（ステップＳ５）。この左隅座標値と右隅座標値は、スケール８０Ｘと８０Ｙで変換された原稿画像上の座標値である。
【００５６】
上記の左隅座標値と右隅座標値で表わされる矩形（四角形）に内接するような選択線図形をプレビュー画像に合成して表示すると共に、これらの座標値を表８１ｄに書き込んでプレビュー画面７０の表示を更新する（ステップＳ６）。
次に、「自動」の区別、選択線図形の種類（下線、四角形、丸印のいずれかの区別）、上記の左隅座標値と右隅座標値とを、ページ番号に対応して画像記憶部１５に記憶して（ステップＳ７）、ステップＳ２に戻る。
（上記のステップＳ５、Ｓ６，Ｓ７と後述のステップＳ９，Ｓ１０，Ｓ１１で領域取得部を構成する。）
【００５７】
また、手動ボタン８１ｂがタッチされたときには（ステップＳ８でＹＥＳ）、ユーザが強調したい領域部分を囲むようにタッチした軌跡の座標値を、タッチ開始位置からタッチ終了時の位置までの座標値を取得する（ステップＳ９）。この軌跡の座標値は、スケール８０Ｘと８０Ｙで変換された原稿画像上の座標値である。
【００５８】
上記の軌跡をプレビュー画像に合成してプレビュー画面７０の表示を更新する（ステップＳ１０）。
次に、「手動」の区別、上記のタッチ開始位置からタッチ終了時の位置までの座標値とを、ページ番号に対応して画像記憶部１５に記憶して（ステップＳ１１）、ステップＳ２に戻る。
【００５９】
また、コピー開始キー７７がタッチされたときには（ステップＳ１２でＹＥＳ）、画像記憶部１５からページ番号順に読取部１３で読み取った原稿画像の画像データを取り出して、画像処理部１６によって画像処理を行って記録部１２により印刷用紙に出力して（ステップＳ１３）、プレビュー表示を終了する。
ここで、ページ内に強調したい領域部分の指定が画像記憶部１５に記録されていた場合、該当ページの画像データに対して、画像記憶部１５を参照して、プレビュー画像で行ったものと同じ線図形の追記処理を適用し、線図形の追記された画像データを生成する。印刷実行は、この生成された画像データに対して行われる。（ステップＳ１３で出力部を構成する。）
【００６０】
また、ページ切り換えキー７２がタッチされたときには（ステップＳ１２でＮＯ）、指定されたページのプレビュー画像を画像記憶部１５から取得して（ステップＳ１４）、ステップＳ１に戻ってこのプレビュー画像をプレビュー画面７０に表示させる。
【００６１】
尚、原稿画像の画像データは、読取部１３で読み取られた画像データに限ったものではなく、例えば、外部記録媒体に記憶された画像データやネットワーク接続されたＰＣなどから事前に転送され画像記憶部１５に記憶された画像データ（画像ファイル）であってもよく、同様に適用することができる。
【００６２】
この場合には、コピー、イメージ送信やドキュメントファイリングの対象となる画像データを外部記録媒体や画像記憶部１５の中から指定し、スタートキーを操作して、コピー、イメージ送信やドキュメントファイリングの開始を指示する。以降の処理は、上述したコピーの場合と同様である。
【００６３】
本実施形態によれば、プレビュー時に、新たに生じた強調したいところや注意を喚起したいところに線図形を追記して、最終仕上がり状態を編集できるので、原稿を汚すことなく印刷物において強調させたい部分を明確にさせることができる。
従って、編集を加えた原稿画像の再読み込みを行う必要がなく、ユーザの希望に沿った修正ができるので、ユーザの使い勝手が向上する。
【００６４】
また、本発明は、上述した実施形態に限定されず、本発明の要旨を逸脱しない範囲内で各種の変形、修正が可能であるのは勿論である。
例えば、上述した画像形成装置のメイン制御部や画像処理部の機能をハードウェア的に実現することは勿論として、上述したメイン制御部や画像処理部の機能を備えるコンピュータプログラムを画像形成装置に備えられた磁気ディスク、半導体メモリ、その他の記録媒体に格納しておき、その記録媒体からコンピュータプログラムを読み取って画像形成装置に登載されたコンピュータで実行することにより、上述した各機能が実現できる。
【符号の説明】
【００６５】
ＬＮ…通信ネットワーク、ＰＮ…公衆電話回線網、１…デジタル複合機、２，３…外部コンピュータ（ＰＣ）、４…インターネットＦＡＸ装置、５…ファクシミリ装置、１０，３２…タッチパネル、１１…パネル制御部、１２…記録部、１３…読取部、１４…フォーマット変換部、１５…画像記憶部、１６…画像処理部、１７…符号化／復号部、１８…メイン制御部、１９…制御用メモリ、２０，３１…キー操作部、３０…操作パネル、３１ａ…テンキー、３１ｂ…クリアキー、３１ｃ…全解除キー、３１ｄ…スタートキー、３１ｅ，３１ｆ，３１ｇ…機能切替キー、３１ｈ…ユーザ設定キー、２１…ＬＡＮ制御部、２２…制御用バッファ、２３…ＮＣＵ、２４…モデム、２５…ＵＳＢ  Ｉ／Ｆ、４０…標準画面、４１…コピーキー、４２…イメージ送信キー、４３…ドキュメントファイリングキー、４４…両面コピーキー、４５…仕上げキー、４６…プレビュー確認キー、７０…プレビュー画面、７１…プレビュー画像、７２…ページ切換キー、７３…設定確認キー、７４…拡大・縮小キー、７５…回転キー、７６…再設定キー、７７…コピー開始キー、７９…ページ表示、８０Ｘ…水平方向スケール、８０Ｙ…垂直方向スケール、８１ａ…自動ボタン、８１ｂ…手動ボタン、８１ｃ…３種類の簡易的な線図形、８１ｄ…強調したい部分を囲む領域の座標値を示す表、８２…追記された線図形。
【図１】
2010200225.tif 000003
【図２】
2010200225.tif 000004
【図３】
2010200225.tif 000005
【図４】
2010200225.tif 000006
【図５】
2010200225.tif 000007
【図６】
2010200225.tif 000008
【図７】
2010200225.tif 000009